(57)【要約】【課題】  所定の駅の改札を通過するのみで、所定のメッセージを所定の端末装置に送信することができるようにする。【解決手段】それぞれネットワークを介して通信可能接続される改札装置と、センター装置と、端末装置とで情報送信システムを構成し、前記改札装置１０でＩＣカード等の定期券の識別情報を読み取り、駅名情報と共にセンター装置３０に送信する。センター装置３０は受信した識別情報と駅名情報に基づき、乗客情報テーブルＴ１から該当する端末装置あて先情報を抽出し、その端末装置に登録されたメッセージがあればそのメッセージを当該端末装置に送信する。メッセージは駅名情報と共に自由に変更可能である。【選択図】           図  １ 
2005292943.tif 000002
【特許請求の範囲】
【請求項１】
改札機と、該改札機と通信可能に接続されたセンター装置と、該センター装置に通信可能に接続された端末装置とからなり、
前記改札機はＩＣカード等の定期券の識別情報読み取り手段と、該読み取り手段で読み取った前記識別情報及び当該改札機設置駅名情報を前記センター装置に送信する手段を有し、
前記センター装置は、定期券の識別情報と共に少なくとも送信情報と、駅名情報及び前記端末装置の送信先情報とを格納した乗客情報テーブルと、前記改札機で読み取った前記識別情報及び駅名情報に基づき前記乗客情報テーブルの端末装置の送信先情報及び送信情報を抽出する手段と、抽出した送信情報を前記送信先端末装置に送信する手段とを有することを特徴とする情報通知システム。
【請求項２】
請求項１に記載された情報通知システムで使用可能な前記改札機。
【請求項３】
請求項１に記載された情報通知システムで使用可能な前記センター装置。
【請求項４】
請求項３に記載されたセンター装置のコンピュータに、
前記改札機から送信されるＩＣカード等の識別情報及び駅名情報に基づき、前記乗客情報テーブルから、前記乗客情報テーブルの端末装置の送信先情報及び送信情報を抽出する手順、抽出した送信情報を前記送信先端末装置に送信する手順を実行させるためのプログラム。
【発明の詳細な説明】
【技術分野】
【０００１】
本発明は、情報通知システム、とくに自動改札システムで使用されるＩＣカード等の乗車券を利用した情報通知システムに関するものである。
【背景技術】
【０００２】
現在ＩＣカードが普及してきており、例えば鉄道、バス、タクシー等の交通分野においても、従来の乗車券や定期券に代わってＩＣカードが用いられてきている。この改札システムでは、例えばＩＣカードを自動改札機、或いは切符発券機に挿入するかかざすことで、そのカードの識別情報を含む記録情報をそれぞれに内蔵されたＩＣカードリーダ／ライターにより読み取りかつ、改札或いは発券情報を書き込むなどの処理を行っている。
ところで、ＩＣカードはカード保持者の個人情報を自由に書き込めるため、これを利用し、例えば駅の改札機と端末装置とを連携させることで新たなサービスが提供できる。即ち、改札機を通過する毎に個人情報を読み取り、その情報をネットワークを介して指定された例えば携帯電話機などの端末装置に送信することができるが、現在までのところ、その利用は、自動改札システムにおいて単に乗車券として或いは価値情報が記録された現金代替手段として利用されているだけで十分とはいえない。
【０００３】
現在知られている情報通知システムとしては、電車の事故等を乗客の携帯端末装置に通知するシステムがある。これは予め携帯端末装置のメールアドレス等を情報配信サーバに登録しておき、電車の事故等が発生したときに、予め登録した当該電車の利用客の端末装置にメールで情報を送信するシステムである。このシステムは乗客の電車利用に関係する情報に基き交通機関情報を送信する点では、交通機関の乗客に対する情報サービスの1例であるが、乗客のＩＣカード等の定期券や改札機を利用するものではなく、情報送信のため自動改札システムを十分利用するまでには至っていない。
【特許文献１】特開２００３−２４２２１８号公報
【発明の開示】
【発明が解決しようとする課題】
【０００４】
本発明の目的は、ＩＣカードが所持者の高度な情報保持機能に着目して、自動改札システムを利用した新たな用途を提供するものであり、具体的には、ＩＣカードを交通システムの乗車券として利用すると共に、例えば改札機でのＩＣカード読み取り時に予め設定したメッセージをネットワークを介して指定の端末装置例えば携帯電話機に送信することができるようにすることである。
【課題を解決するための手段】
【０００５】
請求項１の発明は、改札機と、該改札機と通信可能に接続されたセンター装置と、該センター装置に通信可能に接続された端末装置とからなり、前記改札機はＩＣカード等の定期券の識別情報読み取り手段と、該読み取り手段で読み取った前記識別情報及び当該改札機設置駅名情報を前記センター装置に送信する手段を有し、前記センター装置は、定期券の識別情報と共に少なくとも送信情報と、駅名情報及び前記端末装置の送信先情報とを格納した乗客情報テーブルと、前記改札機で読み取った前記識別情報及び駅名情報に基づき前記乗客情報テーブルの端末装置の送信先情報及び送信情報を抽出する手段と、抽出した送信情報を前記送信先端末装置に送信する手段とを有することを特徴とする情報通知システムである。
請求項２の発明は、請求項１に記載された情報通知システムで使用可能な前記改札機である。
請求項３の発明は、請求項１に記載された情報通知システムで使用可能な前記センター装置である。
請求項４の発明は、請求項３に記載されたセンター装置のコンピュータに、
前記改札機から送信されるＩＣカード等の識別情報及び駅名情報に基づき、前記乗客情報テーブルから、前記乗客情報テーブルの端末装置の送信先情報及び送信情報を抽出する手順、抽出した送信情報を前記送信先端末装置に送信する手順を実行させるためのプログラムである。
【発明の効果】
【０００６】
本発明によれば、ＩＣカード等の所持者は改札処理を行うだけで、特に意識することなく所定の端末装置に所定のメッセージを送信することができるため、伝えたいメッセージがあるにも拘わらず忘れることがなく確実に伝えることができる。また、身体障害などの理由から自らはメッセージを送信できない乗客であっても、確実にメッセージを送付することができる。
さらに、メッセージから、発信者がどこの駅にいるか把握できるため、女性や子供などの通勤或いは通学の状況等を家族等が知ることができ防犯上も有効である。
【発明を実施するための最良の形態】
【０００７】
本発明を図面を参照して説明する。
図１は、本発明に係る情報通知システムの実施の形態の１例の構成を概略的に示すブロック図である。
本情報通知システムは、それぞれネットワークＮＴを介してそれぞれ通信可能に接続された改札機１０と、携帯電話機などの端末装置２０と、センター装置３０及び必要な情報の入力等を行うパーソナルコンピュータ（ＰＣ）４０とからなっている。また、センター装置３０には、例えば顧客が定期券を購入する際に記入した個人情報や送信すべきメッセージ等を格納した顧客情報テーブルＴ１が備えられている。
【０００８】
図２は、本情報通知システムで用いられる改札機１０の構成を概略的に示すブロック図である。
改札機１０は、改札機１０全体を制御するコンピュータからなる制御部１２と、ＩＣカード等（必ずしもカードに限らず、要は、改札機で読み取り可能な内容を記憶できる媒体であればよい）の乗車券や定期券の読み取り或いは書き込みを行うＩＣカードリーダ／ライター（定期券が磁気カードであれば磁気カードリーダ／ライタ）を備え、改札処理を行う改札部１４と、改札部で読み取ったＩＣカード等の識別情報をセンター装置３０に送信すると共に、センター装置３０からの改札許可信号等を受信するための通信部１６を備えている。
改札部１４は、制御部１２で制御されてＩＣカード等に駅名や改札時間、改札機の識別情報等を含む改札情報を書き込むと共に、改札時に読み取ったＩＣカード等の識別情報をネットワークＮＴ経由でセンター装置３０に送信する等の処理を実行する。
【０００９】
図３は、本情報通知システムで用いられるセンター装置３０の構成を概略的に示したブロック図である。
センター装置３０は、センター装置全体を制御する制御部３２と、改札機１０及び端末装置３０との情報の授受を行うための通信部３４を有している。ここで、制御部３２は、ＣＰＵ３２ａ、ＲＡＭ３２ｂ、動作プログラム等を格納したＲＯＭ３２ｃとからなるコンピュータで構成されており、このコンピュータの記憶部（例えばフラッシュメモリを用いたＲＯＭ３２ｃ或いは図示しない外付け記憶手段等でもよい）には、乗客（又は顧客）情報を格納した乗客情報テーブルＴ１が設けられている。
【００１０】
図４は、乗客情報テーブルＴ１の１例を示す図である。
乗客情報テーブルＴ１には、ＩＣカード等毎に、そのカード識別情報、所持者の氏名、電話番号、メールアドレス、等の情報送信先情報、情報発信の起点となる駅を示す改札情報（改札情報１，改札情報２・・・）とその送信内容を示す送信情報（送信情報１、送信情報２・・・）、大人、子供等の区分、定期券情報、有効期間、車両の上下車に介添えを要する場合、その旨を登録する障害者情報等が登録されている。
【００１１】
以上の情報通知システムにおける送信情報の登録設定について説明する。
このシステムは、図１に示すパソコン（Personal  Computer）４０を使用し、乗客が定期券購入のために記入又は入力した個人情報及び定期券発券時に付与される識別情報とをＷｅｂ（インターネット）等のネットワークＮＴを介してセンター装置３０に送信し、センター装置３０の乗客情報テーブルＴ１に当人の乗客情報テーブルＴ１を開設し、かつ、開設後に当人の個人情報を登録する。
【００１２】
図５は、乗客情報テーブルＴ１に個人情報を登録するための手順を説明すためのフロー図である。
図５において、まず、乗客は、定期券を購入する際に当該鉄道等の経営企業のセンター装置３０に定期券識別情報及び当人を特定するための例えば氏名、年齢等を送信して、センター装置３０の乗客情報テーブルＴ１に当人用の乗客情報テーブルを開設する（Ｓ１０１）。次に、乗客は、パーソナルコンピュータ４０をネットワークＮＴ経由で前記センター装置３０のコンピュータ３２に接続し、自身の持つ定期券の識別情報を送信する、具体的には、前記企業がネットワーク上に開設するホームページの「メッセージ送信サービス」画面を開いて、定期券に印字された識別情報を入力して送信する（Ｓ１０２）。センター装置３０は、送信された識別情報に基づき乗客情報テーブルＴ１を検索し（Ｓ１０３）、該当する識別情報があれば（Ｓ１０４、ＹＥＳ）、前記ホームページの個人情報入力画面に切り換え表示する。乗客は、情報を受信する例えば携帯電話機や端末装置２０のメールアドレスの入力と共に、表示され利用駅名から改札情報として任意の駅を選択し、各改札情報毎にその改札機を起点に送信すべきメッセージを入力し（Ｓ１０５）、センター装置３０はそれを乗客情報テーブルＴ１に登録し（Ｓ１０６）、登録処理を完了する。
【００１３】
次に、乗客情報テーブルＴ１への登録後における情報通知システムの動作について説明する。
図６は、本情報通知システムの動作を説明するためのフロー図である。
乗客が改札機１０で定期券を挿入またはかざすと、改札機１０に備えたＩＣカード読み取り／書き込み装置がＩＣカード定期券の識別情報を読み取る（Ｓ２０１）。改札機１０は読み取ったカード識別情報と共にその改札情報をネットワーク経由でセンター装置３０に送信する（Ｓ２０２）。センター装置３０のコンピュータ３２は、送信されたカード等の識別情報に基づき乗客情報テーブルＴ１を検索し（Ｓ２０３）、当該カード等が有効か否かを判断し（Ｓ２０４）、有効でなければ（Ｓ２０４、ＮＯ）、当該改札機１０に改札不可信号を送信し（Ｓ２０５）、処理を終了する。また、有効であれば（Ｓ２０４、ＹＥＳ）、当該改札機１０に改札許可信号を送信する（Ｓ２０６）と共に、その乗客情報の改札情報が登録されたものか否かを判断し（Ｓ２０７）、登録されたものでなければ（Ｓ２０７、ＮＯ）処理を終了し、登録されたものであれば（Ｓ２０７、ＹＥＳ）、送信情報の有無を判断する（Ｓ２０８）。送信情報があれば（Ｓ２０８、ＹＥＳ）、当該送信情報又はそれに改札情報を加えて登録された端末装置２０に送信し（Ｓ２０９）、また、送信情報がなければ（Ｓ２０８、ＮＯ）そのまま、メッセージ送信処理を終了する。
なお、送信するメッセージの内容は自由であるが、例えば、「これから帰ります」、「駅につきました。」或いは「向かえに来て下さい。」等任意であり、呼出音と共に端末装置の表示画面に表示する他、音声で同様の情報を伝えるようにしてもよい。
また、必要であれば、送信処理時間情報と共に送信し、端末装置２０は送信情報を時間情報とともに履歴情報として保存しておくことができる。
【００１４】
乗客情報テーブルに格納された送信情報の内容（メッセージ）等、定期券に関する情報（有効期間、乗車区間等）以外の情報は、鉄道企業等が開設するホームページから、定期券カード等の識別情報を入力することにより変更することができる。この場合において、不正な内容変更を防止するため、定期券保持者に予めパスワードを割り当てて、乗客情報にアクセスする場合、このパスワードの入力を義務付けることもできる。なお、定期券には従来の定期乗車券の他、前払いカード、後払いカード等も含まれる。
【００１５】
本情報通知システムの動作のうち、前記ステップＳ２０３〜Ｓ２０９まで動作は、本センター装置３０のコンピュータ３２にその動作を実行させるための前記プログラムにより実現できる。
また、そのプログラムは、コンピュータ読み取り可能な従来周知のフレキシブルディスク、ＭＯ、ＣＤ−ＲＯＭ等の記録媒体に記録して、或いはネットワークを介して他のコンピュータに直接ダウンロードすることで提供することができる。
以上、本発明の情報通知システムを鉄道を例に採って説明したが、この情報通知システムはバス等の交通機関においても当然実施可能である。
また、送信情報は、メッセージに代えて例えばホームネットワークを制御する制御信号であってもよい。
【図面の簡単な説明】
【００１６】
【図１】本発明に係る情報通知システムの実施の形態の１例の構成を概略的に示すブロック図である。
【図２】本情報通知システムで用いられる改札機１０の構成を概略的 示すブロック図である。
【図３】本情報通知システムで用いられるセンター装置３０の構成を概略的に示したブロック図である。
【図４】乗客情報テーブルＴ１の１例を示す図である。
【図５】乗客情報テーブルＴ１に個人情報を登録するための手順を説明すためのフロー図である。
【図６】本情報通知システムの動作を説明するためのフロー図である。
【符号の説明】
【００１７】
１０・・・改札機、２０・・・端末装置、３０・・・センター装置、３２・・・センター装置のコンピュータ、４０・・・ＰＣ。
【図１】
2005292943.tif 000003
【図２】
2005292943.tif 000004
【図３】
2005292943.tif 000005
【図４】
2005292943.tif 000006
【図５】
2005292943.tif 000007
【図６】
2005292943.tif 000008